(57)【要約】【課題】  吸込みグリルの桟を少なくして、非開口面を増やしても吸気効率を下げることのない床置形空気調和機を提供することを目的としている。【解決手段】  本体１の前面下部に設けられた上流側の吸込グリル５と、本体上部に設けられた下流側の吹出口６とを結ぶ空気通路に、上流側から順にエアーフィルタ１２、送風機（１０）、熱交換器７を配設してなる床置形空気調和機において、前記吸込グリル５を本体前方に膨出して略円弧状に形成し、上部に非開口部５ａ、下部に複数の桟５ｂを設けてなる床置形空気調和機としている。【選択図】図２
2005049004.tif 000002
【特許請求の範囲】
【請求項１】
本体の前面下部に設けられた吸込口と、上部に設けられた吹出口とを結ぶ空気通路に、フィルターと、送風機と、熱交換器とを配設してなる空気調和機において、
前記吸込口に被着される吸込グリルを前面に膨出させ、同吸込グリルと前記フィルターとの間に空間を形成してなることを特徴とする空気調和機。
【請求項２】
前記吸込グリルの上半部を閉口部とし、下半部を複数の桟からなる開口部としてなることを特徴とする請求項１に記載の空気調和機。
【請求項３】
前記複数の桟が、前方に向けて夫々角度の異なる放射状に形成されてなることを特徴とする請求項２に記載の空気調和機。
【発明の詳細な説明】
【技術分野】
【０００１】
本発明は、空気調和機の吸込口の構造に関する。
【背景技術】
【０００２】
従来の床置形の空気調和機は、例えば、図４の要部断面図に示すように、本体１前面下部の吸込グリル５を被着した吸込口から、本体１の上部に設けられた吹出口６の間に、順次、フィルター１２と、送風機１０と、熱交換器７を配設し、同熱交換器７の下方に結露水を受けるドレンパン１１を備えた構造となっている。
【０００３】
また、前記フィルター１２は吸込グリル５に近接して配設されている（例えば、特許文献１参照）。
【０００４】
しかし、前記吸込グリル５を前記フィルター１２に近接して設けると、同フィルター１２全体に均一に空気が流れにくくなり、吸気効率が低下するという問題があり、又、前記吸込グリル５の開口面積を狭くすると、フィルターの斜線部分１２ａは空気が通過しないため、塵埃による目詰まりが生じ耐用期間が短くなるという問題があった。
【特許文献１】特開平８−２００７２５号公報（第３−５頁、第１図）
【発明の開示】
【発明が解決しようとする課題】
【０００５】
本発明は、上記した問題点に鑑み、吸込みグリルの桟を低減して、閉口面積を増加しても吸気効率が低下することのない床置形の空気調和機を提供することを目的とする。
【課題を解決するための手段】
【０００６】
本発明は本体の前面下部に設けられた吸込口と、上部に設けられた吹出口とを結ぶ空気通路に、フィルターと、送風機と、熱交換器とを配設してなる空気調和機において、
前記吸込口に被着される吸込グリルを前面に膨出させ、同吸込グリルと前記フィルターとの間に空間を形成した構成となっている。
また、前記吸込グリルの上半部を閉口部とし、下半部を複数の桟からなる開口部とした構成となっている。
【０００７】
また、前記複数の桟が、前方に向けて夫々角度の異なる放射状に形成された構成となっている。
【発明の効果】
【０００８】
本発明によれば、本体前面下部に設けられた吸込口と、上部に設けられた吹出口とを結ぶ空気通路に、フィルター、送風機、熱交換器を順次配設してなる床置形の空気調和機において、前記吸込口に被着された吸込グリルを前方に円弧状に膨出して形成し、その上部に閉口部、下部に複数の桟による開口部を設けたので、吸気効率を向上させることができるようになっている。また、桟の占める面積が少なくなるので、外観的に特徴を出し易くなり、また、前記桟が放射状に設けられているので、室内空気をより広範囲から吸込むことができ、従来同様の吸込効率を得ることができる。また、前記フィルターと、前記吸込グリルとの間に空間が形成されたので、前記桟の間から吸込まれた空気が、空間を通って前記フィルターの略全面を通過するので、従来同様の塵埃の除去効率を得ることができる。
【発明を実施するための最良の形態】
【０００９】
以下、本発明の実施の形態を、添付図面に基づいた実施例として詳細に説明する。
【実施例１】
【００１０】
図１は本発明による空気調和機を示す外観図、図２は本発明による空気調和機の一実施例を示す要部断面図、図３は図２の要部拡大図である。
【００１１】
以下、図面に基づいて本発明による空気調和機を詳細に説明する。
【００１２】
図１に示すように、本体１の内部を通風孔２ａを備えた仕切板２により上下に区画し、その下部に送風室３を、上部に熱交換室４を設けている。
【００１３】
前記送風室３の前面下部には、吸込口が設けられ、同吸込口には前方に円弧状に膨出した吸込グリル５が被着されており、前記熱交換室４の上部には吹出口６が設けられている。前記吸込グリル５を被着した吸込口と吹出口６を結ぶ空気通路には順次、フィルター１２と送風機１０とが設けられている。
【００１４】
前記送風機１０は、ファンモータ８と、これにより駆動される遠心ファン９と、この遠心ファン９を収容し、回転軸方向に吸込孔を備え遠心方向に前記通風孔２ａに対応して吹出孔を備えたファンケーシングとで構成されている。
【００１５】
また、前記空気通路の熱交換室４には熱交換器７が配設され、同熱交換器７の下方であって前記仕切板２の前方に結露水を受けるドレンパン１１が備えられている。
【００１６】
前記吸込グリル５は本体１の前方に膨出して円弧状に形成され、その頂点を境として、上部に閉口部５ａ、下部に複数の桟５ｂによる開口部を設けている。
【００１７】
前記複数の桟５ｂは図３に示すように、前記円弧の中心から円弧外周に向けて放射状に形成されている。
【００１８】
前記桟５ｂの下端近傍から前記フィルター１２が垂直に立ち上げられ、図３に示すように、前記フィルター１２と、前記吸込グリル５との間に空間２０が形成されている。
【００１９】
以上の構成において、つぎにその動作を説明する。
【００２０】
前記送風機の作動により、前記吸込グリル５の桟５ｂの前面側から吸込まれた室内の空気は前記空間２０がバッファ（緩衝）の作用を行うことにより、圧力が均一となり、これにより圧力及び流速が均一な流れとなって前記フィルター１２の全体を通過するようになっている。同フィルター１２を通過して塵埃が取り除かれた空気は前記送風機を介して前記熱交換器７を通風し、同熱交換器７に流通される冷媒と熱交換することにより加温あるいは冷却されるようになっている。
【図面の簡単な説明】
【００２１】
【図１】本発明による空気調和機を示す外観図である。
【図２】本発明による空気調和機の断面図である。
【図３】本発明による空気調和機の要部拡大図である。
【図４】従来の空気調和機を示す要部断面図である。
【図５】従来の空気調和機の他の実施例を示す要部断面図である。
【符号の説明】
【００２２】
１  本体
２  仕切板
２ａ  通風孔
３  送風室
４  熱交換室
５  吸込グリル
５ａ  閉口部
５ｂ  桟
６  吹出口
７  熱交換器
８  ファンモータ
９  遠心ファン
１０  ファンケーシング
１１  ドレンパン
１２  フィルター
２０  空間
【図１】
2005049004.tif 000003
【図２】
2005049004.tif 000004
【図３】
2005049004.tif 000005
【図４】
2005049004.tif 000006
【図５】
2005049004.tif 000007